(57)【特許請求の範囲】
【請求項１】
固定位置に係止可能とされたフック部と、
前記フック部の根元部に接続されて幅方向の一方に延在する第１肩部と、
前記フック部の前記根元部に接続されて前記幅方向の他方に延在する第２肩部と、
前記第１肩部の側端部と前記第２肩部の側端部とを接続する接続部と、
前記根元部に設けられ、前記フック部の厚さ方向に該フック部よりも突出する根元磁石部と、
前記接続部の前記第１肩部の側端部側でかつ該接続部の端部が該側端部に接する位置から内側に所定距離だけ離間した位置に設けられ、該接続部の厚さ方向に該接続部よりも突出する第１磁石部と、
前記接続部の前記第２肩部の側端部側でかつ該接続部の端部が該側端部に接する位置から内側に所定距離だけ離間した位置に設けられ、該接続部の厚さ方向に該接続部よりも突出する第２磁石部と、
を備え、
前記根元磁石部、前記第１磁石部及び前記第２磁石部のそれぞれの突出側の先端面は、前記フック部、前記第１肩部、前記第２肩部及び前記接続部を備えたハンガー本体に平行な同一の面内に位置し、
前記根元磁石部は、前記フック部の厚さ方向における両側にそれぞれ設けられ、
前記第１磁石部は、前記接続部の厚さ方向における両側にそれぞれ設けられ、
前記第２磁石部は、前記接続部の厚さ方向における両側にそれぞれ設けられ、
前記根元磁石部の前記フック部からの突出量と、前記第１磁石部の前記接続部からの突出量と、前記第２磁石部の前記接続部からの突出量とは、同一とされ、
前記突出量は、同一形状のハンガーを厚さ方向に重ね合わせた場合に形成される該ハンガー間の隙間にユーザの指を挿入させて隣り合う該ハンガーを離間させることができるように３ｍｍ以上１０ｍｍ以下とされているハンガー。
【請求項２】
固定位置に係止可能とされたフック部と、
前記フック部の根元部に接続されて幅方向の一方に延在する第１肩部と、
前記フック部の前記根元部に接続されて前記幅方向の他方に延在する第２肩部と、
前記第１肩部の側端部と前記第２肩部の側端部とを接続する接続部と、
前記根元部に設けられ、前記フック部の厚さ方向に該フック部よりも突出する根元磁石部と、
前記接続部の前記第１肩部の側端部側でかつ該接続部の端部が該側端部に接する位置から内側に所定距離だけ離間した位置に設けられ、該接続部の厚さ方向に該接続部よりも突出する第１磁石部と、
前記接続部の前記第２肩部の側端部側でかつ該接続部の端部が該側端部に接する位置から内側に所定距離だけ離間した位置に設けられ、該接続部の厚さ方向に該接続部よりも突出する第２磁石部と、
を備え、
前記根元磁石部、前記第１磁石部及び前記第２磁石部のそれぞれの突出側の先端面は、前記フック部、前記第１肩部、前記第２肩部及び前記接続部を備えたハンガー本体に平行な同一の面内に位置し、
前記根元磁石部は、前記フック部の厚さ方向における両側にそれぞれ設けられ、
前記第１磁石部は、前記接続部の厚さ方向における両側にそれぞれ設けられ、
前記第２磁石部は、前記接続部の厚さ方向における両側にそれぞれ設けられ、
前記根元磁石部の前記フック部からの突出量と、前記第１磁石部の前記接続部からの突出量と、前記第２磁石部の前記接続部からの突出量とは、同一とされ、
前記突出量は、３ｍｍ以上１０ｍｍ以下とされているハンガーの使用方法であって、
一の前記ハンガーと他の前記ハンガーを形状が重なるように対向させて、前記根元磁石部同士、前記第１磁石部同士及び前記第２磁石部同士が吸着した吸着状態で配置し、
前記吸着状態で重ねられた前記一のハンガーと前記他のハンガーとの間の隙間にユーザの指を挿入させてこれらハンガーを離間させるハンガーの使用方法。
【発明の詳細な説明】
【技術分野】
【０００１】
本発明は、ハンガー及びその使用方法に関するものである。
【背景技術】
【０００２】
特許文献１には、ハンガーのフック部と幅方向における両端のそれぞれに継手を設け、同一形状のハンガー同士を結合することが開示されている。また、同文献には、継手に代えて磁石を用いても良いことが開示されている。
【先行技術文献】
【特許文献】
【０００３】
【特許文献１】特開２０００−１４５１８号公報（［０００６］，図２）
【発明の概要】
【発明が解決しようとする課題】
【０００４】
しかし、特許文献１のハンガーは、複数のハンガーを重ねて束ねると、ハンガー同士が隙間なく結合されるので、両手でそれぞれのハンガーを掴んで所定の力を加えないと離間させることができない。これでは、片手で容易にハンガーを離間させて結合を解除することができず利便性に欠ける。
【０００５】
本発明は、このような事情に鑑みてなされたものであって、同一形状のハンガー同士を結合させた後に容易に離間させることができるハンガー及びその使用方法を提供することを目的とする。
【課題を解決するための手段】
【０００６】
本発明の一態様に係るハンガーは、固定位置に係止可能とされたフック部と、前記フック部の根元部に接続されて幅方向の一方に延在する第１肩部と、前記フック部の前記根元部に接続されて前記幅方向の他方に延在する第２肩部と、前記第１肩部の側端部と前記第２肩部の側端部とを接続する接続部と、前記根元部に設けられ、前記フック部の厚さ方向に該フック部よりも突出する根元磁石部と、前記接続部の前記第１肩部の側端部側でかつ該接続部の端部が該側端部に接する位置から内側に所定距離だけ離間した位置に設けられ、該接続部の厚さ方向に該接続部よりも突出する第１磁石部と、前記接続部の前記第２肩部の側端部側でかつ該接続部の端部が該側端部に接する位置から内側に所定距離だけ離間した位置に設けられ、該接続部の厚さ方向に該接続部よりも突出する第２磁石部と、備え、前記根元磁石部、前記第１磁石部及び前記第２磁石部のそれぞれの突出側の先端面は、前記フック部、前記第１肩部、前記第２肩部及び前記接続部を備えたハンガー本体に平行な同一の面内に位置し、前記根元磁石部は、前記フック部の厚さ方向における両側にそれぞれ設けられ、前記第１磁石部は、前記接続部の厚さ方向における両側にそれぞれ設けられ、前記第２磁石部は、前記接続部の厚さ方向における両側にそれぞれ設けられ、前記根元磁石部の前記フック部からの突出量と、前記第１磁石部の前記接続部からの突出量と、前記第２磁石部の前記接続部からの突出量とは、同一とされ、前記突出量は、同一形状のハンガーを厚さ方向に重ね合わせた場合に形成される該ハンガー間の隙間にユーザの指を挿入させて隣り合う該ハンガーを離間させることができるように３ｍｍ以上１０ｍｍ以下とされている。
【０００７】
根元磁石部はフック部の厚さ方向にフック部よりも突出し、第１磁石部は接続部の厚さ方向に接続部よりも突出し、かつ、第２磁石部は接続部の厚さ方向に接続部よりも突出している。このため、同一形状のハンガーを厚さ方向に重ね合わせ、対応する各磁石部同士を当接させて結合すると、隣り合う同一形状のハンガーのフック部間、第１肩部間、第２肩部間及び接続部間のそれぞれに隙間を形成することができる。これら隙間のいずれかにユーザの指を挿入することで、結合されたハンガーを容易に離間させることができる。
なお、根元磁石部は、フック部の根元部に設けられていれば良く、根元部の位置が厳密に限定されるわけではない。すなわち、根元磁石部が設けられた根元部とは、所定の領域を意味するものである。
第１磁石部は、接続部の第１肩部の側端部側でかつ該接続部の端部が該側端部に接する位置から内側に所定距離だけ離間した位置に設けられている。すなわち、第１磁石部が設けられた第１肩部の側端部側とは、所定の領域を意味するものである。
第２磁石部は、接続部の第２肩部の側端部側でかつ該接続部の端部が該側端部に接する位置から内側に所定距離だけ離間した位置に設けられている。すなわち、第２磁石部が設けられた第２肩部の側端部側とは、所定の領域を意味するものである。
【０００８】
各磁石部を厚さ方向における両側に設けることとしたので、ハンガーの両側に対して他の同一形状のハンガーを結合することができる。これにより、結合方向を考慮することなく容易にハンガー同士を結合して束ねることができる。
【０００９】
各磁石部の突出量を同一としたので、同一形状のハンガー同士を平行に結合することができ、整列した状態でハンガー同士を束ねることができる。
突出量としては、３ｍｍ以上１０ｍｍ以下とされ、好ましくは５ｍｍ程度とされる。
【００１０】
本発明の一態様に係るハンガーの使用方法は、固定位置に係止可能とされたフック部と、前記フック部の根元部に接続されて幅方向の一方に延在する第１肩部と、前記フック部の前記根元部に接続されて前記幅方向の他方に延在する第２肩部と、前記第１肩部の側端部と前記第２肩部の側端部とを接続する接続部と、前記根元部に設けられ、前記フック部の厚さ方向に該フック部よりも突出する根元磁石部と、前記接続部の前記第１肩部の側端部側でかつ該接続部の端部が該側端部に接する位置から内側に所定距離だけ離間した位置に設けられ、該接続部の厚さ方向に該接続部よりも突出する第１磁石部と、前記接続部の前記第２肩部の側端部側でかつ該接続部の端部が該側端部に接する位置から内側に所定距離だけ離間した位置に設けられ、該接続部の厚さ方向に該接続部よりも突出する第２磁石部と、を備え、前記根元磁石部、前記第１磁石部及び前記第２磁石部のそれぞれの突出側の先端面は、前記フック部、前記第１肩部、前記第２肩部及び前記接続部を備えたハンガー本体に平行な同一の面内に位置し、前記根元磁石部は、前記フック部の厚さ方向における両側にそれぞれ設けられ、前記第１磁石部は、前記接続部の厚さ方向における両側にそれぞれ設けられ、前記第２磁石部は、前記接続部の厚さ方向における両側にそれぞれ設けられ、前記根元磁石部の前記フック部からの突出量と、前記第１磁石部の前記接続部からの突出量と、前記第２磁石部の前記接続部からの突出量とは、同一とされ、前記突出量は、３ｍｍ以上１０ｍｍ以下とされているハンガーの使用方法であって、一の前記ハンガーと他の前記ハンガーを形状が重なるように対向させて、前記根元磁石部同士、前記第１磁石部同士及び前記第２磁石部同士が吸着した吸着状態で配置し、前記吸着状態で重ねられた前記一のハンガーと前記他のハンガーとの間の隙間にユーザの指を挿入させてこれらハンガーを離間させる。
【発明の効果】
【００１１】
ハンガー同士を結合した後であってもハンガー間に隙間が形成されるので、容易にハンガーを離間させることができる。
【図面の簡単な説明】
【００１２】
【図１】本発明の参考実施形態に係るハンガーを示した斜視図である。
【図２】図１の磁石部を拡大して示した側面図である。
【図３】複数のハンガーを結合して束ねた状態を示した斜視図である。
【図４】図３のハンガーの磁石部を拡大して示した側面図である。
【図５】本発明の一実施形態に係るハンガーを示した斜視図である。
【発明を実施するための形態】
【００１３】
［参考実施形態］
図１には、本発明の参考実施形態に係るハンガー１が示されている。ハンガー１は、ハンガー本体２と、３つの磁石部３とを備えている。
【００１４】
ハンガー本体２は、厚さが略一定とされている。ただし、ハンガー本体２は厚さが一定とされておらず所定の凹凸が設けられていても良い。
ハンガー本体２は、上方にフック部５を備えている。フック部５は、上部が円弧状に形成されており、内側に開口５ａが形成されている。この開口５ａからハンガーポール等の棒部材を通し、所定の固定位置にフック部５を係止する。フック部５の下方に位置する根元部５ｂには、第１肩部６の中央側の一端と第２肩部７の中央側の一端が一体的に接続されている。なお、根元部５ｂは、第１肩部６と第２肩部７とが接続される形状とされていればよく、その形状は図１に限定されるものではない。
【００１５】
第１肩部６は、ハンガー本体２の幅方向の右下方に斜めに延在するように形成された長尺形状とされている。第２肩部７は、ハンガー本体２の幅方向の左下方に斜めに延在するように形成された長尺形状とされている。第１肩部６の幅方向における側端部６ａと第２肩部７の幅方向における側端部７ａとの間には、長尺形状とれた接続部８が略水平方向に延在して設けられている。このように、第１肩部６、第２肩部７及び接続部８によって、正面視して略二等辺三角形の外形状が形成されている。
【００１６】
ハンガー本体２は、樹脂製とされており、例えば射出成形によって一体的に成形することができる。なお、ハンガー本体２を木製等の他の材質によって形成しても良い。
【００１７】
フック部５の根元部５ｂには、根元磁石部３ａが固定されている。根元磁石部３ａは、フック部５の厚さ方向における両側にそれぞれ設けられている。
第１肩部６の側端部６ａには、第１磁石部３ｂが固定されている。第１磁石部３ｂは、第１肩部６の厚さ方向における両側にそれぞれ設けられている。
第２肩部７の側端部７ａには、第２磁石部３ｃが設けられている。第２磁石部３ｃは、第２肩部７の厚さ方向における両側にそれぞれ設けられている。
なお、以下の説明では、根元磁石部３ａ、第１磁石部３ｂ及び第２磁石部３ｃに共通する説明の場合には単に符号３を用いて磁石部３として説明することとする。
【００１８】
磁石部３は、内部に磁石を備えている。磁石は、永久磁石とされており、例えばネオジム磁石が用いられる。
各磁石部３の形状は、略円筒形状とされ、それぞれが同一形状とされている。各磁石部３の突出側の先端面は、ハンガー本体２と平行（すなわちハンガー本体２の厚さ方向に直交する面に平行）に設けられている。各磁石部３は、ハンガー本体２に対して一体的に成形されていても良く、また接着等によって固定されていても良い。なお、磁石部３の形状は、円筒形に限定されるものではなく、横断面が多角形とされた角柱形状であっても良い。
【００１９】
ハンガー本体２を挟んで両側に配置された磁石部３は、極性が互いに逆とされている。すなわち、図２に示すように、ハンガー本体２の一方側の磁石部３の突出側がＳ極とされた場合は、ハンガー本体２を挟んだ反対側の磁石部３の突出側はＮ極とされる。
【００２０】
磁石部３のハンガー本体２からの厚さ方向における突出量ｔ（図２参照）は、３ｍｍ以上１０ｍｍ以下、好ましくは５ｍｍ程度とされている。
【００２１】
図１に示したように、磁石部３は、ハンガー本体２の３ヶ所に設けられている。３つの磁石部３の位置は、ハンガー１を正面視した場合に、それぞれが３角形の頂点に位置するように設けられている。
【００２２】
次に、上述したハンガー１の使用方法について説明する。
複数のハンガー１を使用しないときに収納する際には、図３に示すように、複数のハンガー１を互いに接触した状態で束ねて保持する。具体的には、各ハンガー１を形状が重なるように厚さ方向に対向させて、それぞれのハンガー１の根元磁石部３ａ同士、第１磁石部３ｂ同士及び第２磁石部３ｃ同士の間で磁石の引力が生じるように配置する。このように、各磁石部３の３点で吸着することで位置が決まり、ハンガー１同士が面内で位置決めされるように各ハンガー１を結合させて束ねる。これにより、複数のハンガー１を整然と配置することができる。また、１つのハンガー１を取り出すときも、残りのハンガー１が束ねられた整列形状を崩すことなく容易に取り外すことができる。
【００２３】
また、各磁石部３がハンガー本体２から厚さ方向に突出しているので、ハンガー１同士を結合させた状態であっても、ハンガー本体２間に所定の隙間ｓを形成することができる。例えば、磁石部３の突出量ｔが５ｍｍとされた場合には、１０ｍｍの隙間ｓをハンガー本体２間に形成することができる。ユーザは、この隙間ｓに指を差し込み、隙間ｓを拡大するようにハンガー本体２同士を離間するように軽く力を入れるだけで、ハンガー１間の結合を解除することができる。この作業は片手でも行うことができ容易である。
【００２４】
図４には、図３のように複数のハンガー１を束ねた状態で整列させるときの磁石部３の配置が示されている。同図に示すように、Ｓ極とＮ極とが交互になるように対向する磁石部３の極性を合わせて各ハンガー１を束ねて結合する。
【００２５】
以上の通り、本参考実施形態によれば以下の作用効果を奏する。
根元磁石部３ａはフック部５の厚さ方向にフック部５よりも突出し、第１磁石部３ｂは第１肩部６の厚さ方向に第１肩部６よりも突出し、かつ、第２磁石部３ｃは第２肩部７の厚さ方向に第２肩部７よりも突出している。このため、同一形状のハンガー１を厚さ方向に重ね合わせ、対応する各磁石部３ａ，３ｂ，３ｃ同士を当接させて結合すると、隣り合う同一形状のハンガー１のフック部５間、第１肩部６間及び第２肩部７間のそれぞれに隙間ｓを形成することができる。これら隙間ｓのいずれかにユーザの指を挿入することで、結合されたハンガー１を容易に離間させることができる。
【００２６】
各磁石部３を厚さ方向における両側に設けることとしたので、ハンガー１の両側に対して他の同一形状のハンガー１を結合することができる。これにより、結合方向を考慮することなく容易にハンガー１同士を結合して束ねることができる。
【００２７】
各磁石部３の突出量ｔ（図２参照）を同一としたので、同一形状のハンガー１同士を平行に結合することができ、整列した状態でハンガー同士を束ねることができる。
【００２８】
なお、上述した参考実施形態では、図２に示した形状のハンガー本体２に対して磁石部３を設けることとしたが、本発明は図２に示した形状のハンガー本体２に限定されるものではなく、フック部、第１肩部及び第２肩部があればどのような形状のハンガー本体にも適用することができる。
【００２９】
［実施形態］
図５には、本発明の一実施形態が示されている。本実施形態は、上述した参考実施形態に対して、第１磁石部３ｂ及び第２磁石部３ｃの位置が異なり、その他の構成については同様である。したがって、以下では参考実施形態に対する相違点についてのみ説明し、共通する部分については同一符号を付しその説明を省略する。
【００３０】
第１磁石部３ｂ及び第２磁石部３ｃは、接続部８に設けられている。第１磁石部３ｂは第１肩部６の側端部６ａ側に設けられ、第２磁石部３ｃは第２肩部７の側端部７ａ側に設けられている。第１磁石部３ｂ及び第２磁石部３ｃは、各肩部６，７の側端部６ａ，７ａに接続部８の各端部が接する位置よりも内側に位置している。第１磁石部３ｂ及び第２磁石部３ｃの中心は、それぞれ、各側端部６ａ，７ａに接する接続部８の各端部から距離ｄ１，ｄ２だけ離間している。距離ｄ１，ｄ２は、接続部８の両端から接続部８の全長Ｌの３０％以下または２０％以下または１０％以下の範囲に設けられていれば良い。
【００３１】
このように、第１磁石部３ｂ及び第２磁石部３ｃを、接続部８の各端部が側端部６ａ，７ａに接する位置から所定距離だけ離間させることによって以下の効果を奏する。ハンガー１のフック部５を物干し竿に洗濯バサミピンチなどで固定し、複数のハンガー１を互いに離間させて配置した場合、例えば強い風が吹くと各ハンガー１がフック部５周りに回転して隣接するハンガー１の側端部６ａ，７ａ同士が衝突することがある。その場合に第１磁石部３ｂ同士又は第２磁石部３ｃ同士が磁力によってくっついてしまうおそれがある。これに対して、本実施形態では、第１磁石部３ｂ及び第２磁石部３ｃが接続部８の各端部が側端部６ａ，７ａに接する位置から距離ｄ１，ｄ２だけ離間しているので、隣接するハンガー１の側端部６ａ，７ａ同士が衝突しても、磁石部３ｂ，３ｃが接続部８の各端部が側端部６ａ，７ａに接する位置から離れているため、磁石部３ｂ，３ｃ同士が磁力によってくっついてしまうおそれを回避することができる。
【００３２】
なお、第１磁石部３ｂ及び第２磁石部３ｃに関する距離ｄ１と距離ｄ２とは、同じであっても良い（ｄ１＝ｄ２）し、異なっていても良い（ｄ１≠ｄ２）。また、距離ｄ１及び／又は距離ｄ２を０として、接続部８の端部に磁石部３ｂ，３ｃを設けても良い。
【００３３】
本実施形態のように、接続部８の長手方向における両側に第１磁石部３ｂ及び第２磁石部３ｃを設けることとしても、上述した参考実施形態と同様の作用効果を奏する。すなわち、各磁石部３がハンガー本体２から厚さ方向に突出しているので、ハンガー１同士を結合させた状態であっても、ハンガー本体２間に所定の隙間を形成することができる。ユーザは、この隙間に指を差し込み、隙間を拡大するようにハンガー本体２同士を離間するように軽く力を入れるだけで、ハンガー１間の結合を解除することができる。この作業は片手でも行うことができ容易である。
【００３４】
なお、図３では、重ね合わされた各ハンガー１のフック部５の開口５ａ（図１参照）が同一方向（図３では根元部５ｂに対して左側に開口する方向）を向くようにして各ハンガー１が重ね合わされているが、フック部５の開口５ａの向きを互い違いにして（すなわち第１肩部６と第２肩部７が交互に重なるようにして）各ハンガー１を物干し竿にかけるようにしても良い。このような配置とすれば、対向する各磁石部３間に斥力が生じ、ハンガー１同士を吸着させずに離間させた状態で各ハンガー１を配置することができる。これは、上述した参考実施形態だけでなく本実施形態にも適用することができる。
【００３５】
また、図３のように連結されたハンガー１は、例えば洗濯機の側面などのような磁性体を含む壁面に対して、磁石部３の磁力によって吸着させて固定することができる。これにより、複数のハンガー１を散逸させることなく所定位置にまとめて配置することができる。これについても、上述した参考実施形態だけでなく本実施形態にも適用することができる。
【符号の説明】
【００３６】
１  ハンガー
２  ハンガー本体
３  磁石部（吸着部）
３ａ  根元磁石部
３ｂ  第１磁石部
３ｃ  第２磁石部
５  フック部
５ａ  開口
５ｂ  根元部
６  第１肩部
６ａ  側端部
７  第２肩部
７ａ  側端部
８  接続部
ｄ１  （接続部から第１磁石部までの）距離
ｄ２  （接続部から第２磁石部までの）距離
ｓ  隙間
ｔ  突出量
Ｌ  （先端部の）全長
【要約】
【課題】同一形状のハンガー同士を結合させた後に容易に離間させることができるハンガーを提供する。
【解決手段】固定位置に係止可能とされたフック部５と、フック部５の根元部５ｂに接続されて幅方向の一方に延在する第１肩部６と、フック部５の根元部５ｂに接続されて幅方向の他方に延在する第２肩部７と、第１肩部６の側端部と第２肩部７の側端部とを接続する接続部８と、根元部５ｂに設けられ、フック部５の厚さ方向にフック部５よりも突出する根元磁石部３ａと、接続部８の第１肩部６の側端部６ａ側の端部に設けられ、接続部８の厚さ方向に接続部８よりも突出する第１磁石部３ｂと、接続部８の第２肩部７の側端部７ａ側の端部に設けられ、接続部８の厚さ方向に接続部８よりも突出する第２磁石部３ｃと、を備えている。
【選択図】図５【図１】
0006880301.tif 000002
【図２】
0006880301.tif 000003
【図３】
0006880301.tif 000004
【図４】
0006880301.tif 000005
【図５】
0006880301.tif 000006